(57)【要約】【課題】斬新な動きをする演出装置を提供し、遊技者を飽きさせることなく楽しませることで遊技機の遊技性、趣向性を向上させる。【解決手段】所定の間隔を離して一対の支軸６ｆ，６ｋを突設してなる可動装飾体１と、該支軸の間隔Ｈと同じ間隔を離して少なくとも４つの軸受部１１ｎ〜１１ｇを設けてなる固定レール体１３と、前記可動装飾体１を前記固定レール体１３に沿って移動させる移動機構を備え、前記軸受部１１ｎ〜１１ｇは前記支軸６ｆ，６ｋを保持可能または離脱可能にする開閉手段が設けられ、該開閉手段により隣り合う軸受部を交互に開閉させて前記支軸６ｆ，６ｋを隣り合う軸受部で交互に支持することにより、前記可動装飾体１が前記固定レール体１３に沿って転回動しつつ移動するようにした。【選択図】図５
2022001099.tif 000002
【特許請求の範囲】
【請求項１】
所定の間隔を離して一対の支軸を突設してなる可動装飾体と、該支軸の間隔と同じ間隔を離して少なくとも４つの軸受部を設けてなる固定レール体と、前記可動装飾体を前記固定レール体に沿って移動させる移動機構を備え、前記軸受部は前記支軸を保持可能または離脱可能にする開閉手段が設けられ、該開閉手段により隣り合う軸受部を交互に開閉させて前記支軸を隣り合う軸受部で交互に支持することにより、前記可動装飾体が前記固定レール体に沿って転回動しつつ移動するようにしたことを特徴とする遊技機の演出装置。
【請求項２】
前記移動機構は、第１駆動源により前記固定レール体の長手方向に沿って移動する移動基部を設けるとともに、該移動基部に該固定レール体の長手方向と直交する方向に進退動する進退動基部体を設け、該進退動基部体に回転自在なるように回転基部体を設け、該回転基部体にスライダーを設け、該スライダーに前記可動装飾体を前記一対の支軸を結ぶ直線と平行な方向に摺動可能に支持してなることを特徴とする請求項１に記載した遊技機の演出装置。
【請求項３】
前記固定レール体は円環状または円弧状に形成したことを特徴とする請求項１または２に記載した遊技機の演出装置。
【請求項４】
前記開閉手段は開閉伝動体を第２駆動源によって前記固定レール体の長手方向に沿って移動するように設け、該開閉伝動体に係合し開閉作動をする開閉弁体を前記軸受部に設けてなることを特徴とする請求項１〜３のいずれかに記載した遊技機の演出装置。
【請求項５】
前記可動装飾体に回転自在に回転装飾部材を設け、該回転装飾部材に歯車伝動手段を介して伝動レバーを該可動装飾体から突出するように設けるとともに、前記開閉伝動体に係合突部を形成し、該係合突部が該伝動レバーに係脱することで該回転装飾部材が回転動するようにしたことを特徴とする請求項４に記載した遊技機の演出装置。
【発明の詳細な説明】
【技術分野】
【０００１】
本発明は、パチンコ遊技機，アレンジボール，雀球遊技機，テレビゲーム機等の種々の遊技機に設けられる演出装置に関するものである。
【背景技術】
【０００２】
例えば周知のパチンコ遊技機は、所定の入賞口に遊技球が入ると大型液晶ディスプレイ等の可変表示装置に複数種類の図柄が変動表示され、一定時間後にその変動が停止し、停止した図柄の組み合わせが例えば［７、７、７］等になると、［大当り］となり、大入賞口が開かれ大量の景品球を獲得可能にする特別遊技状態とするようにしている。したがってこの種の遊技機では、大当りを招来させる過程をいかに演出し、遊技者を楽しませることができるかが重要である。
【０００３】
そのため、例えば下記特許文献１に示されたパチンコ遊技機では、可変表示装置の外周を囲うよう多数のリンク部材からなる環状の形態の可動演出装置を設け、該各リンク部材を特定時期に該可変表示装置の表示と連動して可動させて星型に変形するようにし、こうした変形作動により遊技にインパクトを与え、興趣が高められるようにしている。
【先行技術文献】
【特許文献】
【０００４】
【特許文献１】特開２０１４−１４０５００号公報
【発明の概要】
【発明が解決しようとする課題】
【０００５】
しかし遊技機に設けられる上記のような従来の演出装置は、動作が常に一様であって変形に乏しいので、一度見てしまうと遊技者は短時間で飽いてしまうという問題があるとともに、演出装置の動作を可変表示装置の表示と連動させるようにしても、その連動も単調にならざるをえず、面白みをもたせられないといった問題がある。したがって従来の演出装置では、この種の遊技機の盛りたてが十分にできていないという問題があった。
【課題を解決するための手段】
【０００６】
そこで本発明は、上記のような問題点を解決し、演出効果を大いに発揮できる演出装置を提供しようとするものである。
そのために本発明に係る遊技機の演出装置は、所定の間隔を離して一対の支軸を突設してなる可動装飾体と、該支軸の間隔と同じ間隔を離して少なくとも４つの軸受部を設けてなる固定レール体と、前記可動装飾体を前記固定レール体に沿って移動させる移動機構を備え、前記軸受部は前記支軸を保持可能または離脱可能にする開閉手段が設けられ、該開閉手段により隣り合う軸受部を交互に開閉させて前記支軸を隣り合う軸受部で交互に支持することにより、前記可動装飾体が前記固定レール体に沿って転回動しつつ移動するようにしたことを特徴とする。
【０００７】
また本発明は、前記演出装置において、前記移動機構は、第１駆動源により前記固定レール体の長手方向に沿って移動する移動基部を設けるとともに、該移動基部に該固定レール体の長手方向と直交する方向に進退動する進退動基部体を設け、該進退動基部体に回転自在なるように回転基部体を設け、該回転基部体にスライダーを設け、該スライダーに前記可動装飾体を前記一対の支軸を結ぶ直線と平行な方向に摺動可能に支持してなることを特徴とする。
【０００８】
また本発明は、前記演出装置において、前記固定レール体は円環状または円弧状に形成したことを特徴とする。
【０００９】
また本発明は、前記演出装置において、前記開閉手段は開閉伝動体を第２駆動源によって前記固定レール体の長手方向に沿って移動するように設け、該開閉伝動体に係合し開閉作動をする開閉弁体を前記軸受部に設けてなることを特徴とする。
【００１０】
また本発明は、前記演出装置において、前記可動装飾体に回転自在に回転装飾部材を設け、該回転装飾部材に歯車伝動手段を介して伝動レバーを該可動装飾体から突出するように設けるとともに、前記開閉伝動体に係合突部を形成し、該係合突部が該伝動レバーに係脱することで該回転装飾部材が回転動するようにしたことを特徴とする。
【発明の効果】
【００１１】
可動装飾体が斬新な動きを可能にするため、遊技者を飽きさせることなく楽しませることができ、遊技機の遊技性、趣向性を向上させる。
【図面の簡単な説明】
【００１２】
【図１】本発明に係る演出装置の可動装飾体の表側からの斜視図。
【図２】本発明に係る演出装置の可動装飾体の裏側からの斜視図。
【図３】本発明に係る演出装置の可動装飾体の表側からの分解斜視図。
【図４】本発明に係る演出装置の可動装飾体の裏側からの分解斜視図。
【図５】本発明に係る演出装置の表側からの斜視図。
【図６】本発明に係る演出装置の表側からの分解斜視図。
【図７】図６の部分拡大分解斜視図。
【図８】図７に示した開閉弁体の拡大斜視図。
【図９】本発明に係る演出装置の裏側からの分解斜視図。
【図１０】図８の部分拡大分解斜視図。
【図１１】本発明に係る演出装置の初期状態の正面図。
【図１２】本発明に係る演出装置の初期状態の要部の正面図。
【図１３】本発明に係る演出装置の初期状態の要部の拡大正面図。
【図１４】本発明に係る演出装置の第１可動状態の正面図。
【図１５】本発明に係る演出装置の第２可動状態の正面図。
【図１６】本発明に係る演出装置の第２可動状態の要部の正面図。
【図１７】本発明に係る演出装置の第３可動状態の正面図。
【発明を実施するための形態】
【００１３】
次に本発明の実施形態を説明する。先ず可動装飾体１の構成を図１〜図４に従い説明する。可動装飾体１は、図３および図４の分解斜視図に示したように、回転装飾部材２と、表板３と、蓋板４と、歯車伝動手段５と、ケース体６とからなり、該ケース体６の裏面にスライダー７を介して回転基部体８が設けられる。該回転装飾部材２は略長方形のプラスチック製薄板状に形成され、表面にゲーム内容に従い適宜な図柄２ａ，２ａが描かれ、中央に取付孔２ｂが開設される。表板３は前記回転装飾部材２よりも少し長めの略長方形薄板状にプラスチックで形成され、該表板３の中央に小孔３ａが開設され、前記回転装飾部材２の裏面に当接した際に滑りをよくするために複数の小突起３ｂが該小孔３ａを囲むように形成されている。該表板３の両縁寄りにも適宜な図柄３ｃ，３ｃが描かれる。また、該表板３の裏面には図４に示すように該表板３の周縁部から少し内側に位置するように一定高さのリブ３ｄが一体に形成され、該リブ３ｄの内側に４本の筒状小支柱３ｅが一体に形成される。また蓋板４は前記表板３と同じくプラスチックにより略長方形薄板状に形成され、中央に透孔４ａが開設され、四隅に前記筒状小支柱３ｅを貫挿させる小孔４ｂが形成される。また、歯車伝動手段５は、プラスチック製の小歯車５ａと、一対のプラスチック製の扇形伝動体５ｂとからなり、該扇形伝動体５ｂに形成された扇形歯５ｄが該小歯車５ａに噛合する。また該扇形伝動体５ｂに一体に伝動レバー５ｅおよびバネ係合片５ｆが形成される。そして、該小歯車５ａに一体に形成された軸部５ｃを前記透孔４ａおよび前記小孔３ａに遊嵌し、該軸部５ｃの先端を前記取付孔２ｂにビス（図示せず）により止着する。これにより該軸部５ｃの先端に前記回転装飾部材２が固着され、前記小歯車５ａが回転すると該回転装飾部材２が回転する。
【００１４】
また、ケース体６は、前面が開口した長方形の浅皿状にプラスチックにより形成され、内面の中央に前記小歯車５ａを回転自在に軸支するためのボス６ａが形成され，前記扇形伝動体５ｂを回転自在に軸支するためのボス６ｂがその両側に形成され、前記伝動レバー５ｅを裏側に突出させるための窓孔６ｃが形成され、さらにストッパ６ｄおよびバネ係合片６ｅが形成されている。また、該ケース体６の裏面の両端部付近に所定の間隔Ｈを離して一対の支軸６ｆ，６ｋを突設している。なお、該各支軸６ｆ，６ｋの先端部は拡径状にして係合部６ｊを形成している。また、該ケース体６の裏面の中央部に二対の軸受片６ｇを突設してなる。６ｈは一対のコイルばねを示す。そして、該ケース体６内に前記小歯車５ａ、扇形伝動体５ｂを収納し、該コイルばね６ｈを前記バネ係合片５ｆと前記バネ係合片６ｅの間に張設するとともに、前記透孔４ａに貫挿したビス（図示せず）を該ケース体６の四隅に形成された止孔６ｉに螺着し、前記蓋板４を該ケース体６に閉着する。これにより可動装飾体１が組み立てられる。前記コイルばね６ｈは弾性により扇形伝動体５ｂを牽引し、該扇形伝動体５ｂが前記ストッパ６ｄに当接した初期状態では扇形歯５ｄに噛合する小歯車５ａが図示した回転状態にあって前記回転装飾２は表板３とは互いの長手方向が略々一致した状態となる。即ち、回転装飾部材２は表板３と同じ横長状の姿勢となる。
【００１５】
前記スライダー７は前記軸受片６ｇに摺動自在に貫挿し得る一対の直線状の金属製の丸棒７ａからなる。また前記回転基部体８はプラスチック製で長方形枠状に形成され、中央に一体に形成された連通部８ｄに回転中心軸８ａを一体に形成してなる。そして、前記各丸棒７ａを前記軸受片６ｇに摺動自在に貫挿するとともに該各丸棒７ａの両端部を該回転基部体８に開設された止孔８ｂに固着することで前記回転中心軸８ａを挟む両側に前記一対の丸棒７ａが平行に装着されるようにする。こうすることで該回転基部体８に対し前記可動装飾体１は前記一対の支軸６ｆ，６ｋを結ぶ直線と平行な方向に摺動可能なるように支持される。なお、８ｃは回転中心軸８ａに被着される弾性ブシュを示す。
【００１６】
次に前記可動装飾体１を転回動させつつ移動させるための当該演出装置の要部の構成を図５以下に従い説明する。図５では、中央部に大型液晶ディスプレイ等の可変表示装置（図示せず）を臨ませるための窓孔１０ａが形成された取付板１０の前面に複数のボス１０ｃを突設し、該ボス１０ｃに当該演出装置を支持した状態を示す。図６〜図１０に分解斜視図に示すように、この実施形態に示した演出装置は、裏側レール基盤１１と表側レール基盤１２とを重合することにより形成される略環状の固定レール体１３を前記ボス１０ｃにビス（図示せず）により固定するとともに、裏側レール板１４と表側レール板１５とを重合することにより形成される略環状のガイドレール１６を該固定レール体１３の前面にビス（図示せず）により固定したものである。裏側レール基盤１１は、図７および図１０にも示すように、円環状に形成された環状レール部１１ａの外周四隅にタブ部１１ｂ〜１１ｅを一体に形成し、上部一方のタブ部１１ｂに移動機構を構成する第１駆動源たる駆動用モータ１１ｆを固設し、該駆動用モータ１１ｆの回転出力軸に駆動歯車１１ｇを固設している。また、該タブ部１１ｂの裏側にコ字状枠１１ｈを固設し、該コ字状枠１１ｈに該駆動歯車１１ｇの回転出力軸を支持するとともに該駆動歯車１１ｇの回転位置を検出するフォトセンサを取着している。また上部他方のタブ部１１ｃにも後述するフォトセンサ１１ｊを固設している。また、該環状レール部１１ａの背面には図１０に示すように内歯歯車１１ｍを一体に形成している。また、該環状レール部１１ａの内周に６つの軸受部１１ｎ〜１１ｓを互いに６０度の開き角度を離して形成している。なお、このように６つの軸受部１１ｎ〜１１ｓを等角間隔に形成することにより、該各軸受部１１ｎ〜１１ｓの間隔Ｐが前記支軸６ｆ，６ｋの間隔Ｈと同じになるようにする。また、該環状レール部１１ａの前面に同様に６本の突軸１１ｋを等角間隔で形成している。また、前記タブ部１１ｄ、１１ｅの背面にもそれぞれフォトセンサ１１ｖが設けられる。
【００１７】
また、裏側レール基盤１１の背面に突設した複数の小さな支軸１１ｔに複数のプーリ１１ｕを回転自在に設け、該プーリにより大径の円環状に形成された駆動輪１７を囲うことで該駆動輪１７を回転自在に支持する。そして図１０に示すように該駆動輪１７に一体に形成された伝動歯車１７ａに前記駆動歯車１１ｇを噛合する。また、該駆動輪１７の内周の一部を張り出して移動基部１７ｂを形成し、該移動基部１７ｂの背面中心部に形成された支持軸１７ｃに遊星歯車１７ｄを回転自在に設け、該遊星歯車１７ｄを前記内歯歯車１１ｍに噛合させる。なお、該遊星歯車１７ｄは背面の偏心位置に偏心軸１７ｅを突設してなる。また、該移動基部１７ｂの背面両側縁部に一対のリニヤスライダ１７ｆを固着し該リニヤスライダ１７ｆを介して進退動基部体１７ｇを該移動基部１７ａに取着する。これにより該進退動基部体１７ｇは駆動輪１７の半径方向に進退動自在なるように支持される。そして該進退動基部体１７ｇに形成された長穴１７ｈに前記偏心軸１７ｅを遊嵌する。このため遊星歯車１７ｄが回転すると前記偏心軸１７ｅを介して該進退動基部体１７ｇが駆動輪１７の半径方向に進退動するようになる。なお、１７ｋは移動基部１７ｂの対称位置に固着したバランス重錘、１７ｍは前記フォトセンサ１１ｖを作動させるため該駆動輪１７に設けた遮光片である。
【００１８】
そして前記進退動基部体１７ｇの前面に支持板１７ｎをビス（図示せず）により固着し、該支持板１７ｎの前面中央に突設された支持部１７ｐに前記回転基部体８の回転中心軸８ａを貫挿し該回転基部体８を該進退動基部体１７ｇに回転自在なるように設ける。
【００１９】
次に前記軸受部１１ｎ〜１１ｓに設けられ前記可動装飾体１の支軸６ｆ，６ｋを受入可能または離脱可能にする開閉手段の構成を説明する。前記表側レール基盤１２は円環状に形成された環状レール部１２ａの上部片隅にタブ部１２ｂが形成され、該タブ部１２ｂに第２駆動源たる駆動用モータ１２ｃを固設し、該駆動用モータ１２ｃの回転出力軸に駆動歯車１２ｄを固設してなる。
【００２０】
１８は前記裏側レール基盤１１と表側レール基盤１２との間に設けられる大径の円環状に形成された開閉伝動体で、該開閉伝動体１８には円弧状の長穴１８ａが等角間隔で６箇所形成され、該長穴１８ａ中に摺動可能に遊嵌したカラー１８ｂに前記突軸１１ｋを嵌合することで、該開閉伝動体１８は前記環状レール部１１ａの前面に該長穴１８ａの範囲内で回転自在なるように配置される。該開閉伝動体１８の外周には前記駆動歯車１２ｄと噛合する伝動歯１８ｃが一体に形成されている。また、該開閉伝動体１８の内周には等角間隔で６つの円弧状のラック歯１８ｄが一体に形成されている。また、該開閉伝動体１８の前面であって該各ラック歯１８ｄの間隔部位に係合突部１８ｅを突設している。１９ｎ〜１９ｓは前記軸受部１１ｎ〜１１ｓに回転自在に軸支される開閉弁体で、該各開閉弁体１９ｎ〜１９ｓには、図８に拡大して示したように、前記ラック歯１８ｄと噛合する円形歯車部１９ａを形成しているとともに該円形歯車部１９ａの前面に弁部１９ｂを一体に形成し、該弁部１９ｂは先端部に内向フランジ１９ｃを形成してなり、該弁部１９ｂに切欠筒状の閉部１９ｄ、および正面視で略９０度の範囲を開放してなる開口部１９ｅを形成している。
また、前記表側レール基盤１２は、環状レール部１２ａに前記係合突部１８ｅが遊嵌し得る円弧状の長穴１２ｅを形成しているとともに、該環状レール部１２ａの内周に前記開閉弁体１９ｎ〜１９ｓを抱持し得る切欠筒状部１２ｎ〜１２ｓを形成している。また該環状レール部１２ａの外周縁に前方に起立する縁部１２ｇを形成するとともに該縁部１２ｇの内側にボス１２ｈを形成している。
このため、前記駆動用モータ１２ｃの駆動歯車１２ｄにより開閉伝動体１８を回転させるとラック歯１８ｄが開閉弁体１９ｎ〜１９ｓを回転させ弁部１９ｂの前記開口部１９ｅの向きが変動し、前記支軸６ｆ，６ｋを保持可能または離脱可能にする。なお、このように各軸受部１１ｎ〜１１ｓに設けられた開閉弁体１９ｎ〜１９ｓは、隣り合うものについて交互に開閉するようにラック歯１８ｄを該各開閉弁体１９ｎ〜１９ｓに噛合させてある。即ち、６つの開閉弁体１９ｎ〜１９ｓのうち開閉弁体１９ｎ，１９ｐ，１９ｒが開状態であるときは、他の開閉弁体１９ｏ，１９ｑ，１９ｓは閉状態となり、開閉弁体１９ｎ，１９ｐ，１９ｒが閉状態であるときは開閉弁体１９ｏ，１９ｑ，１９ｓは開状態となるように、ラック歯１８ｄを各開閉弁体１９ｎ〜１９ｓに噛合させてある。このため駆動用モータ１２ｃによって開閉伝動体１８を回転させることによっては、その開閉状態が一斉に反転する。
【００２１】
次に前記ガイドレール１６を説明する。前記裏側レール板１４は、内周縁を略六角形状に切除した円環形に形成され、その六角辺の交点に内側に張り出す三角形部１４ａが形成され、該内周縁よりも一定幅だけ内側に前方に起立するリム１４ｂを一体に形成してなる。表側レール板１５は、裏側レール板１４と同様に内周縁が略六角形状に切除された円環形に形成され六角辺の交点に内側に張り出す三角形部１５ａを形成し、外周縁に前方に起立するリム１５ｂを一体に形成してなる。該裏側レール板１４と表側レール板１５とは重合して前記ボス１２ｈにビス（図示せず）止めすることにより固定レール体１３の前面に固設される。このように裏側レール板１４と表側レール板１５とを重合することにより形成されるガイドレール１６は内周縁に図５に示すように一定幅のガイド溝１６ｂを形成する。なお、こうして該固定レール体１３を止着するに際しては前記三角形部１４ａおよび三角形部１５ａがちょうど前記軸受部１１ｎ〜１１ｓの前方に位置するようにしている。そして、該ガイド溝１６ｂに前記蓋板４の周縁部が入り込むように前記可動装飾体１を配設し、該可動装飾体１の裏面に突設する前記支軸６ｆ，６ｋが前記開口部１９ｅから弁部１９ｂ内に挿入されたときに該可動装飾体１は前記開閉弁体１９ｎ〜１９ｓのいずれかに支持されるようにしている。
【００２２】
このように構成した演出装置は、図５および図１１〜図１３に示した初期状態では、可動装飾体１の一方の支軸６ｆは前記軸受部１１ｎにある開状態の開閉弁体１９ｎの弁部１９ｂ内に位置し、他方の支軸６ｋは隣の軸受部１１ｏにある閉状態の開閉弁体１９ｏに支持される。なおこのとき前記係合部６ｊは該支軸６ｆ，６ｋが該開閉弁体１９ｎ，１９ｏから前方へ離脱するのを防いでいる。そこで、駆動用モータ１１ｆを作動させ駆動輪１７を回転させると図１１に矢印Ａで示したように可動装飾体１は軸受部１１ｏを支点として下方に旋回し、駆動輪１７を約６０度回転させた時点で図１４に示したよう内方に張り出した状態（第１可動状態）となる。即ち、駆動輪１７が回転すると前記進退動基部体１７ｇも回転し同時に前記内歯歯車１１ｍに噛合している遊星歯車１７ｄを自転させるので、偏心軸１７ｅが該進退動基部体１７ｇを該駆動輪１７の半径方向（言い換えると固定レール体１３の長手方向と直交する方向）に進退動させる。なおリニヤスライダ１７ｆはこの進退動を許容する。このため、支持板１７ｎの支持部１７ｐに支持された回転基部体８は回転し、さらに該回転基部体８にスライダー７を介して支持された可動装飾体１は図１４に示したような内方張出状態となり得る。この状態からさらに駆動輪１７を回転させると図１４に矢印Ｂで示したように可動装飾体１は軸受部１１ｏを支点としてさらに回転し、支軸６ｆが前記軸受部１１ｐの開状態にある開閉弁体１９ｐに受け入れられ、可動装飾体１は図１５に示したような反り返ったような状態（第２可動状態）となる。この状態から前記駆動用モータ１２ｃを作動させ開閉伝動体１８を正面視で反時計方向に回転させ開閉弁体１９ｎ〜１９ｓを半回転させると、開閉弁体１９ｎ，１９ｐ，１９ｒが閉状態となり開閉弁体１９ｏ，１９ｑ，１９ｓは開状態となる。そこで駆動用モータ１１ｆを回転させることにより図１５に矢印Ｃで示したように該可動装飾体１は今度は軸受部１１ｐを支点として回転し、図示しないが該可動装飾体１の支軸６ｋが軸受部１１ｑに支持されるようになる。同様の駆動をすることで該可動装飾体１はさらに軸受部１１ｒから軸受部１１ｓに次々支点を変えつつ移動させることができる。言い換えれば可動装飾体１は固定レール体１３の内周に沿って周回する。
【００２３】
なお、可動装飾体１が図１５の状態にあるときに開閉伝動体１８を正面視で反時計方向にさらに回転させることによっては、図１６に示した係合突部１８ｅが伝動レバー５ｅに当って扇形伝動体５ｂをコイルばね６ｈの弾性に抗して回転させ小歯車５ａを９０度程度回転させ回転装飾部材２を図１７に示したように９０度回転した状態とすることができる。このため、例えば大当りの直前であるような格別な遊技状態になったときにこのように回転装飾部材２を回転させた第３可動状態にすることで、遊技を一層盛り上げることができる。なお、駆動輪１７の回転角度は前記フォトセンサ１１ｖによって検知されて制御され、開閉伝動体１８の回転角度はフォトセンサ１１ｊによって検知され制御される。従って駆動用モータ１１ｆ、駆動用モータ１２ｃ等を逆回転させることによっては可動装飾体１を逆方向に周回させ初期状態に戻すこともできる。
【００２４】
このようにこの演出装置では、駆動輪１７と開閉伝動体１８を制御回路からの指示に基づき所定の順序で所定方向に所定角度回転させることにより、可動装飾体１を固定レール体１３に沿っていずれの方向にも転回動しつつ移動させることができ、その動きが特有であることから、非常に斬新な演出効果が得られる。
【００２５】
なおこの実施形態は、遊技機に設けられる可変表示装置の周囲を囲うように円環状の固定レール体１３を形成し、その内周に沿って可動装飾体１が移動するようにしたが、本発明の演出装置はこうした配置に限らず可動表示装置の外周やガラス枠など設置箇所はいずれであってもよい。また、固定レール体１３を円弧状の形態にしてもよく、或いは該固定レール体を直線状の形態にしてもよい。なお、その際でも、該固定レール体には可動装飾体１の一対の支軸６ｆ，６ｋの間隔Ｈと同じ間隔Ｐを離して少なくとも４つの軸受部を設けることにより、可動装飾体１を上記のような意外性のある特有の動きをさせることができる。
【００２６】
そして、上記移動機構は、第１駆動源１１ｆにより固定レール体１３の長手方向に沿って移動する移動基部１７ｂを設けるとともに、該移動基部１７に該固定レール体１３の長手方向と直交する方向に進退動する進退動基部体１７ｇを設け、該進退動基部体１７ｇに回転自在なるように回転基部体８を設け、該回転基部体８にスライダー７を設け、該スライダー７に前記可動装飾体１を前記一対の支軸６ｆ，６ｋを結ぶ直線と平行な方向に摺動可能に支持することにより、上記支軸６ｆ，６ｋを常にスムースに軸受部１１ｎ〜１１ｓに支持させることができる。
【００２７】
また、可動装飾体１に回転自在に回転装飾部材２を設け、該回転装飾部材２に歯車伝動手段５を介して伝動レバー５ｅを該可動装飾体１から突出するように設けるとともに、前記開閉伝動体１８に係合突部１８ｅを形成し、該係合突部１８ｅが該伝動レバー５ｅに係脱することで該回転装飾部材２が回転動するようにすることによっては、遊技者に一層斬新で面白みのある動作を見せることができる。
なお、この実施形態では一対の伝動レバー５ｅを設けたため、転回動する可動装飾体がいずれの向きに停止していても、一方の伝動レバーが係合突部に係脱することになるが、所定の停止位置のみで係脱することができるよう単一の伝動レバー５ｅであってもよい。
また、この実施形態では一対の伝動レバー５ｅは単一の小歯車５ａに係合するようにしているが、それぞれの伝動レバー５ｅに係合するように一対の小歯車５ａ及び回転装飾部材２を設けることで所定の停止位置で異なる回転装飾部材を回転させることもできる。
【００２８】
要するに本発明に係る演出装置では、可動装飾体１が特有な動作で固定レール体１３に沿って前進動や後退動させ、停止位置を行き来させたり、意外な動作をさせられ、停止位置により現在の遊技状況を示唆することも自由にできるなど、遊技全般にわたり演出を高めることができる。また、遊技機の例えば大型液晶ディスプレイ等の可変表示装置の図柄変動と連動させるに際しても多様な組み合わせが可能になり、遊技者を常に飽きさせることなく楽しませることができるようになる。
【符号の説明】
【００２９】
１…可動装飾体、    ２…回転装飾部材、    ２ａ…図柄、    ２ｂ…取付孔、    ３…表板、    ３ａ…小孔、    ３ｂ…突起、    ３ｃ…図柄、    ３ｄ…リブ、    ３ｅ…筒状小支柱、    ４…蓋板、    ４ａ…透孔、    ４ｂ…小孔、    ５…歯車伝動手段、    ５ａ…小歯車、    ５ｂ…扇形伝動体、    ５ｃ…軸部、    ５ｄ…扇形歯、    ５ｅ…伝動レバー、    ５ｆ…バネ係合片、    ６…ケース体、    ６ａ…ボス、    ６ｂ…ボス、    ６ｃ…窓孔、    ６ｄ…ストッパ、    ６ｅ…バネ係合片、    ６ｆ，６ｋ…支軸、    Ｈ…間隔、    ６ｊ…係合部、    ６ｇ…軸受片、    ６ｈ…コイルばね、    ６ｉ…止孔、    ７…スライダー、    ７ａ…丸棒、    ８…回転基部体、    ８ａ…回転中心軸、    ８ｂ…止孔、    ８ｃ…弾性ブシュ、    １０…取付板、    １０ａ…窓孔、    １０ｃ…ボス、    １１…裏側レール基盤、    １１ａ…環状レール部、    １１ｂ〜１１ｅ…タブ部、    １１ｆ…第１駆動源（駆動用モータ）、    １１ｇ…駆動歯車、    １１ｈ…コ字状枠、    １１ｊ…フォトセンサ、    １１ｍ…内歯歯車、    １１ｎ〜１１ｓ…軸受部、    Ｐ…間隔、    １１ｋ…突軸、    １１ｖ…フォトセンサ、    １１ｔ…支軸、    １１ｕ…プーリ、    １２…表側レール基盤、    １２ａ…環状レール部、    １２ｂ…タブ部、    １２ｃ…第２駆動源（駆動用モータ）、    １２ｄ…駆動歯車、    １２ｅ…長穴、    １２ｎ〜１２ｓ…切欠筒状部、    １２ｇ…縁部、    １２ｈ…ボス、    １３…固定レール体、    １４…裏側レール板、    １４ａ…三角形部、    １４ｂ…リム、    １５…表側レール板、    １５ａ…三角形部、    １５ｂ…リム、    １６…ガイドレール、    １６ｂ…ガイド溝、    １７…駆動輪、    １７ａ…伝動歯車、    １７ｂ…移動基部、    １７ｃ…支持軸、    １７ｄ…遊星歯車、    １７ｅ…偏心軸、    １７ｆ…リニヤスライダ、    １７ｇ…進退動基部体、    １７ｈ…長穴、    １７ｋ…バランス重錘、    １７ｍ…遮光片、    １７ｎ…支持板、    １７ｐ…支持部、    １８…開閉伝動体、    １８ａ…長穴、    １８ｂ…カラー、    １８ｃ…伝動歯、    １８ｄ…ラック歯、    １８ｅ…係合突部、    １９ａ…円形歯車部、    １９ｂ…弁部、    １９ｃ…内向フランジ、    １９ｄ…閉部、    １９ｅ…開口部、    １９ｎ〜１９ｓ…開閉弁体
【図１】
2022001099.tif 000003
【図２】
2022001099.tif 000004
【図３】
2022001099.tif 000005
【図４】
2022001099.tif 000006
【図５】
2022001099.tif 000007
【図６】
2022001099.tif 000008
【図７】
2022001099.tif 000009
【図８】
2022001099.tif 000010
【図９】
2022001099.tif 000011
【図１０】
2022001099.tif 000012
【図１１】
2022001099.tif 000013
【図１２】
2022001099.tif 000014
【図１３】
2022001099.tif 000015
【図１４】
2022001099.tif 000016
【図１５】
2022001099.tif 000017
【図１６】
2022001099.tif 000018
【図１７】
2022001099.tif 000019